(57)【要約】【課題】受取人の住所や氏名などの個人情報を読み取り不能に破壊できる個人情報破壊機能付き包装用媒体を提供する。【解決手段】内部が封止された包装用媒体１１の少なくとも一方の面１１ａ上に受取人の住所や氏名などが文字列の形態で印刷された個人情報１２と、前記一方の面１１ａに剥離可能に形成され、且つ、剥離したときに前記個人情報１２の文字列が外部の第三者に対して読み取り不能に破壊できるように前記文字列中の文字を破線状に切り込んで囲った破線状切り込み枠１３Ａと、を有することを特徴とする個人情報破壊機能付き包装用媒体１０Ａを提供する。【選択図】図１
2012046208.tif 000002
【特許請求の範囲】
【請求項１】
内部が封止された包装用媒体の少なくとも一方の面上に受取人の住所や氏名などが文字列の形態で印刷された個人情報と、
前記一方の面に剥離可能に形成され、且つ、剥離したときに前記個人情報の文字列が外部の第三者に対して読み取り不能に破壊できるように前記文字列中の文字を破線状に切り込んで囲った破線状切り込み枠と、
を有することを特徴とする個人情報破壊機能付き包装用媒体。
【請求項２】
前記破線状切り込み枠を前記一方の面から剥離する動作に伴って、前記包装用媒体を開封することを特徴とする請求項１に記載の個人情報破壊機能付き包装用媒体。
【発明の詳細な説明】
【技術分野】
【０００１】
本発明は、内部が封止された包装用媒体の少なくとも一方の面上に受取人の住所や氏名などが文字列の形態で印刷された個人情報を、外部の第三者に対して読み取り不能に破壊でき、且つ、受取人が包装用媒体を容易に開封できる個人情報破壊機能付き包装用媒体に関するものである。
【背景技術】
【０００２】
一般的に、広告などを印刷した印刷物が封入されたダイレクトメールなどの包装用媒体が郵便物として受取人宛てに配達されており、この包装用媒体の表面上には受取人の住所や氏名などの個人情報が文字列の形態で印刷されている。
【０００３】
この際、受取人は配達されたダイレクトメール（包装用媒体）を開封した後にこのダイレクトメールを破棄するか、又は、開封せずにそのまま破棄する際に、包装用媒体の表面上に印刷された受取人の住所や氏名などの個人情報を外部の第三者に対して保護するために読み取り不能に破壊したい場合、個人情報の文字列を細かく切断するとか、又は、個人情報の文字列をマジックインクで塗りつぶしたりしてゴミ処理しているが、手間がかかってしまうという問題がある。
【０００４】
上記した問題に対して、郵便物や宅配物などに記載されている受取人の住所，氏名，電話番号などの個人情報の漏洩を防止するために、個人情報の離脱機構付包装用媒体がある（例えば、特許文献１参照）。
【０００５】
特許文献１に開示された個人情報の離脱機構付包装用媒体では、ここでの図示を省略するが、包装用媒体上で個人情報が記載された枠領域の周辺をミシン目状切り込みで囲むことにより、個人情報が記載された枠領域をミシン目状切り込みに沿って包装用媒体から容易に離脱させることができる旨が開示されている。
【先行技術文献】
【特許文献】
【０００６】
【特許文献１】特開２００６−３４７６２０号公報
【発明の概要】
【発明が解決しようとする課題】
【０００７】
ところで、特許文献１に開示された個人情報の離脱機構付包装用媒体によれば、受取人は、個人情報が記載されている枠領域をミシン目状切り込みに沿って引き剥がすことで、包装用媒体の表面上に個人情報が残らないために、この包装用媒体をゴミ処理したときに包装用媒体に対して個人情報の漏洩を防止できるが、ミシン目状切り込みに沿って引き剥がした枠領域に個人情報がそのまま残存しているためにこの枠領域をゴミ処理したときにここから個人情報が漏洩する恐れがあり問題である。
【０００８】
また、例えばダイレクトメールを複数の受取人宛てに発送した広告主側は複数の受取人に開封して広告用の印刷物を読み取ってもらうことを期待しているが、ダイレクトメールを開封せずに破棄する受取人も多数存在するので、ダイレクトメール用の印刷物を封入した包装用媒体を受取人が容易に開封できるように改善が必要とされている。
【０００９】
そこで、内部が封止された包装用媒体の少なくとも一方の面上に受取人の住所や氏名などが文字列の形態で印刷された個人情報を、外部の第三者に対して読み取り不能に破壊でき、且つ、受取人が包装用媒体を容易に開封できる個人情報破壊機能付き包装用媒体を提供することを目的とする。
【課題を解決するための手段】
【００１０】
本発明は上記課題に鑑みてなされたものであり、請求項１に記載の発明は、内部が封止された包装用媒体の少なくとも一方の面上に受取人の住所や氏名などが文字列の形態で印刷された個人情報と、
前記一方の面に剥離可能に形成され、且つ、剥離したときに前記個人情報の文字列が外部の第三者に対して読み取り不能に破壊できるように前記文字列中の文字を破線状に切り込んで囲った破線状切り込み枠と、
を有することを特徴とする個人情報破壊機能付き包装用媒体である。
【００１１】
また、請求項２に記載の発明は、前記破線状切り込み枠を前記一方の面から剥離する動作に伴って、前記包装用媒体を開封することを特徴とする請求項１に記載の個人情報破壊機能付き包装用媒体である。
【発明の効果】
【００１２】
請求項１に記載の個人情報破壊機能付き包装用媒体によると、破線状切り込み枠を包装用媒体の一方の面から剥離したときに、包装用媒体の一方の面上に個人情報の一部が残存した残存文字情報と、包装用媒体の一方の面から剥離した個人情報の破片上で上記個人情報の一部の残りと対応した剥離文字情報とが、共に外部の第三者に対して読み取り不能に破壊されているので、個人情報が外部の第三者に対して漏れることがないために、個人情報を保護できる。
【００１３】
また、請求項２に記載の個人情報破壊機能付き包装用媒体によると、破線状切り込み枠を包装用媒体の一方の面から剥離する動作に伴って、包装用媒体を容易に開封することができる。これにより、例えば広告主がダイレクトメールを複数の受取人宛てに発送した場合に、複数の受取人は包装用媒体を容易に開封できるので、複数の受取人がダイレクトメールとして送られた包装用媒体内の印刷物を取り出して読む機会が増加するために、ダイレクトメールを発送した広告主は宣伝効果を向上させることができる。
【図面の簡単な説明】
【００１４】
【図１】本発明に係る実施例１の個人情報破壊機能付き包装用媒体を説明するために表裏を展開して示した展開図である。
【図２】本発明に係る実施例１の個人情報破壊機能付き包装用媒体を説明するための図であり、（ａ）は包装用媒体を開封する前の状態を示し、（ｂ）は包装用媒体を開封した後の状態を示し、（ｃ）は包装用媒体から破線状切り込み枠に沿って剥がし取った個人情報の破片を示した図である。
【図３】本発明に係る実施例２の個人情報破壊機能付き包装用媒体を説明するために表裏を展開して示した展開図である。
【図４】本発明に係る実施例２の個人情報破壊機能付き包装用媒体を説明するための図であり、（ａ）は包装用媒体を開封する前の状態を示し、（ｂ）は包装用媒体を開封した後の状態を示し、（ｃ）は包装用媒体から破線状切り込み枠に沿って剥がし取った個人情報の破片を示した図である。
【発明を実施するための形態】
【００１５】
以下に本発明に係る個人情報破壊機能付き包装用媒体の一実施例について図１〜図４を参照して実施例１，実施例２の順に詳細に説明する。
【実施例１】
【００１６】
図１に示した如く、本発明に係る実施例１の個人情報破壊機能付き包装用媒体１０Ａでは、包装用媒体１１が包装用紙を用いて表裏を展開した状態で封筒状に折り畳めるように切断されている。
【００１７】
即ち、包装用媒体１１は、表面となる一方の面１１ａと、裏面となる他方の面１１ｂとが略中央の折り線１１ａｂを介して連接されている。また、包装用媒体１１の一方の面１１ａには、長辺糊代１１ｃ及び短辺糊代１１ｄが右方の折り線１１ａｃ及び下方の折り線１１ａｄを介して連接されていると共に、封止代１１ｅが上方の折り線１１ａｅを介して連接されている。
【００１８】
そして、包装用媒体１１は、例えば広告主がダイレクトメールを受取人宛に発送するための前段階として、表裏を展開した状態で少なくとも一方の面（表面）１１ａ上に、受取人の住所や氏名などの個人情報１２が複数行（例えば３行）からなる文字列の形態で不図示のプリンタなどを用いて印刷されている。
【００１９】
尚、差出人（広告主）の住所や企業名などは一方の面（表面）１１ａ上又は他方の面（裏面）１１ｂ上に必要に応じて印刷されているが、ここでの図示を省略する。
【００２０】
また、包装用媒体１１の少なくとも一方の面１１ａ上には、個人情報１２の文字列が外部の第三者に対して読み取り不能に破壊できるように文字列中の文字を破線状に切り込んで囲った破線状切り込み枠１３Ａが、複数行（例えば３行）の文字列に対して上下左右にジグザク状に不図示の切り込み機などを用いて形成されており、且つ、この破線状切り込み枠１３Ａは包装用媒体１１の一方の面１１ａから人の手で剥離可能になっている。
【００２１】
尚、上記した破線状切り込み枠１３Ａは、個人情報１２の文字列中の文字をミシン目状に切り込んで囲ったメシン目状切り込み枠を含むものとする。
【００２２】
具体的に説明すると、実施例１における破線状切り込み枠１３Ａは、図示右端近傍に人の手で掴むための掴み部１３ａが略円形状に形成され、且つ、この掴み部１３ａに続いて連結部１３ｂが例えば第２列目の文字列に沿って右方から左方に向かって所定の幅を持って形成され、且つ、連結部１３ｂを中心にして複数の角形枠部１３ｃが上下に分かれて枝状（ツリー状）に連結されていると共に、左端近傍に剥離終了部１３ｄが形成されている。
【００２３】
この際、破線状切り込み枠１３Ａのうちで連結部１３ｂに連結した複数の角形枠部１３ｃは、個人情報１２に基いた複数行（例えば３行）の各文字列中の各文字に対して間隔を離して飛び飛び（例えば一つおき）に各文字を剥がし取ることができるようにジグザグ状に形成されている。
【００２４】
また、角形枠部１３ｃの外形サイズは、文字のサイズに略合わせて設定されているが、一つの角形枠部１３ｃ１内に一つの文字を含ませたり、あるいは、一つの文字を部分的に含ませており、とくに、個人を特定できる重要な文字に対してできるだけ読み取り不能な外形サイズに設定すれば良いものであるので、必ずしも図示のような正方形状である必要はない。
【００２５】
尚、角形枠部１３ｃに代えて、図示を省略するが、略三角形枠部，略多角形枠部，略円弧状枠部，略楕円状枠部なども可能であり、更に、角形枠部１３ｃ，略三角形枠部，略多角形枠部，略円弧状枠部，略楕円状枠部などを適宜組み合わせることで破線状切り込み枠１３Ａをより一層読み取り不能な形状とすることも可能である。
【００２６】
また、破線状切り込み枠１３Ａは、掴み部１３ａから剥離終了部１３ｄまでの全長Ｌａが包装用媒体１１の短辺長さＬよりも僅かに短く設定されているが、後述するように、掴み部１３ａから剥離終了部１３ｄまで剥がし取ることにより封止された個人情報破壊機能付き包装用媒体１０Ａを開封できるようになっている。
【００２７】
尚、この実施例１では、個人情報１２が包装用媒体１１の短辺の方向に沿って印刷されているが、これに限ることなく、個人情報１２が包装用媒体１１の長辺の方向に沿って印刷されている場合にも適用可能である。
【００２８】
そして、包装用媒体１１の少なくとも一方の面１１ａ上に破線状切り込み枠１３Ａを個人情報１２に沿ってジグザク状に形成した後、この包装用媒体１１を長辺糊代１１ｃ及び短辺糊代１１ｄにより封筒状に糊付けして、封筒状の包装用媒体１１内に例えばダイレクトメール用の印刷物（図示せず）を挿入し、封止代１１ｅにより包装用媒体１１を封止している。
【００２９】
この状態では、破線状切り込み枠１３Ａが形成されているだけであるので、包装用媒体１１上に印刷された個人情報１２は配達時に何等の支障もなく読み取り可能であることは言うまでもない。
【００３０】
この後、封止された実施例１の個人情報破壊機能付き包装用媒体１０Ａを広告主から受取人宛てに発送すると、受取人は図２（ａ）に示した開封前の状態で受け取ることになる。
【００３１】
ここで、図２（ａ）に示した如く、開封前の個人情報破壊機能付き包装用媒体１０Ａを受け取った受取人は、包装用媒体１１の一方の面１１ａ上で個人情報１２に沿ってジグザク状に形成された破線状切り込み枠１３Ａの掴み部１３ａを手で掴んで右方から左方に向かって連結部１３ｂに連結した複数の角形枠部１３ｃを剥離しながら左端近傍の剥離終了部１３ｄまで剥がし取る。
【００３２】
そして、図２（ｂ）に示した如く、破線状切り込み枠１３Ａを包装用媒体１１の一方の面１１ａから剥離する動作に伴って、受取人は包装用媒体１１を容易に開封することができる。これにより、例えば広告主がダイレクトメールを複数の受取人宛てに発送した場合に、複数の受取人は包装用媒体１１を容易に開封できるので、複数の受取人がダイレクトメールとして送られた包装用媒体１１内の印刷物（図示せず）を取り出して読む機会が増加するために、ダイレクトメールを発送した広告主は宣伝効果を向上させることができる。
【００３３】
また、包装用媒体１１の一方の面１１ａ上から破線状切り込み枠１３Ａを剥離したときに、包装用媒体１１の一方の面１１ａ上で複数の角形枠部１３ｃ｛図２（ａ）｝と対応する部位に複数の角孔１１ａ１が開口されるために、個人情報１２が複数の角孔１１ａ１によって各文字列中の各文字が間隔を隔てて飛び飛びに抜けた残存文字情報１２ａとなり、この残存文字情報１２ａは個人情報１２の一部を含んで読み取り不能に破壊されているので、包装用媒体１１をゴミ処理しても包装用媒体１１の一方の面１１ａ上に印刷された個人情報１２の一部が残存した残存文字情報１２ａは外部の第三者に対して漏れることがないために、個人情報１２を保護できる。
【００３４】
一方、図２（ｃ）に示した如く、破線状切り込み枠１３Ａを包装用媒体１１の一方の面１１ａから剥がし取ると、包装用媒体１１の開封と同時に個人情報１２の破片１４Ａが得られる。この個人情報１２の破片１４Ａ上では、個人情報１２が複数の角形枠部１３ｃ｛図２（ａ）｝によって各文字列中の各文字が間隔を隔てて飛び飛びに抜けた剥離文字情報１２ｂとなり、この剥離文字情報１２ｂは上記した個人情報の一部の残りを含んで読み取り不能に破壊されているので、個人情報１２の破片１４Ａをゴミ処理しても個人情報１２の一部の残りと対応した剥離文字情報１２ｂが外部の第三者に漏れることを確実に防止できる。
【００３５】
この際、図２（ｂ）に示した残存文字情報１２ａと、図２（ｃ）に示した剥離文字情報１２ｂとの文字数比率が、略半々（略５０％：５０％）になるように破線状切り込み枠１３Ａの複数の角形枠部１３ｃを個人情報１２の各文字列中の文字数に対応して設定することで、残存文字情報１２ａと剥離文字情報１２ｂとにより個人情報１２の漏洩をより一層確実に防止できるので、第１実施例の個人情報破壊機能付き包装用媒体１０Ａの有用性が得られる。
【実施例２】
【００３６】
図３及び図４に示した実施例２の個人情報破壊機能付き包装用媒体１０Ｂは、先に図１及び図２を用いて説明した実施例１の個人情報破壊機能付き包装用媒体１０Ａに対して包装用媒体１１の一方の面１１ａ上に形成した破線状切り込み枠１３Ｂの形状が異なるだけで、その他は同様の構成であり、ここでは説明の便宜上、先に示した構成部材に対しては同一の符号を付して図示し、且つ、先に示した構成部材は必要に応じて適宜説明し、実施例１と異なる構成部材に新たな符号を付して異なる点を中心にして説明する。
【００３７】
図３に示した如く、実施例２の個人情報破壊機能付き包装用媒体１０Ｂでも、包装用媒体１１の少なくとも一方の面１１ａ上に、受取人の住所や氏名などの個人情報１２が複数行（例えば３行）からなる文字列の形態で不図示のプリンタなどを用いて印刷されている。
【００３８】
また、包装用媒体１１の少なくとも一方の面１１ａ上には、個人情報１２の文字列が外部の第三者に対して読み取り不能に破壊できるように文字列中の文字を破線状に切り込んで囲った破線状切り込み枠１３Ｂが、複数行（例えば３行）の文字列に対して直交して櫛形状に不図示の切り込み機などを用いて形成されており、且つ、この破線状切り込み枠１３Ｂは包装用媒体１１の一方の面１１ａから人の手で剥離可能になっている。
【００３９】
尚、上記した破線状切り込み枠１３Ｂは、個人情報１２の文字列中の文字をミシン目状に切り込んで囲ったメシン目状切り込み枠を含むものとする。
【００４０】
具体的に説明すると、実施例２における破線状切り込み枠１３Ｂは、包装用媒体１１の一方の面１１ａ上に印刷した個人情報１２よりも上方で図示右端近傍に人の手で掴むための掴み部１３ｅが略円形状に形成され、且つ、この掴み部１３ｅに続いて連結部１３ｆが第１列目の文字列よりも上方の位置で右方から左方に向かって所定の幅を持って文字列と平行に形成され、且つ、連結部１３ｆから複数の長方形枠部１３ｇがそれぞれ間隔を隔てて複数の文字列（例えば３列）と直交し且つ複数の文字列（例えば３列）に亘って跨るように櫛形状に連結されていると共に、左端近傍に剥離終了部１３ｈが形成されている。
【００４１】
この際、破線状切り込み枠１３Ｂのうちで連結部１３ｆに連結した複数の長方形枠部１３ｇは、個人情報１２に基いた複数行（例えば３行）の各文字列中の各文字に対して間隔を離して飛び飛び（例えば一つおき）に各文字を複数行（例えば３行）同時に剥がし取ることができるように長尺に形成されている。
【００４２】
また、長方形枠部１３ｇの短辺幅は、文字のサイズに略合わせて設定されているが、一つの長方形枠部角形枠部１３ｇの短辺幅内に一つの文字を含ませたり、あるいは、一つの文字を部分的に含ませており、とくに、個人を特定できる重要な文字に対してできるだけ読み取り不能な短辺幅に設定すれば良いものである。
【００４３】
また、破線状切り込み枠１３Ｂは、掴み部１３ｅから剥離終了部１３ｈまでの全長Ｌｂが包装用媒体１１の短辺長さＬよりも僅かに短く設定されているが、後述するように、掴み部１３ｅから剥離終了部１３ｈまで剥がし取ることにより封止された個人情報破壊機能付き包装用媒体１０Ｂを開封できるようになっている。
【００４４】
尚、この実施例２でも、実施例１と同様に、個人情報１２が包装用媒体１１の短辺の方向に沿って印刷されているが、これに限ることなく、個人情報１２が包装用媒体１１の長辺の方向に沿って印刷されている場合にも適用可能である。
【００４５】
そして、包装用媒体１１の少なくとも一方の面１１ａ上に破線状切り込み枠１３Ｂを個人情報１２に沿って櫛形状に形成した後、この包装用媒体１１を長辺糊代１１ｃ及び短辺糊代１１ｄにより封筒状に糊付けして、封筒状の包装用媒体１１内に例えばダイレクトメール用の印刷物（図示せず）を挿入し、封止代１１ｅにより包装用媒体１１を封止している。
【００４６】
この状態では、破線状切り込み枠１３Ｂが形成されているだけであるので、包装用媒体１１上に印刷された個人情報１２は配達時に何等の支障もなく読み取り可能であることは言うまでもない。
【００４７】
この後、封止された実施例２の個人情報破壊機能付き包装用媒体１０Ｂを広告主から受取人宛てに発送すると、受取人は図４（ａ）に示した開封前の状態で受け取ることになる。
【００４８】
ここで、図４（ａ）に示した如く、開封前の個人情報破壊機能付き包装用媒体１０Ｂを受け取った受取人は、包装用媒体１１の一方の面１１ａ上で個人情報１２に沿って櫛形状に形成された破線状切り込み枠１３Ｂの掴み部１３ｅを手で掴んで右方から左方に向かって連結部１３ｆに連結した複数の長方形枠部１３ｇを剥離しながら左端近傍の剥離終了部１３ｈまで剥がし取る。
【００４９】
そして、図４（ｂ）に示した如く、破線状切り込み枠１３Ｂを包装用媒体１１の一方の面１１ａから剥離する動作に伴って、受取人は包装用媒体１１を容易に開封することができる。これにより、例えば広告主がダイレクトメールを複数の受取人宛てに発送した場合に、複数の受取人は包装用媒体１１を容易に開封できるので、複数の受取人がダイレクトメールとして送られた包装用媒体１１内の印刷物（図示せず）を取り出して読む機会が増加するために、ダイレクトメールを発送した広告主は宣伝効果を向上させることができる。
【００５０】
また、包装用媒体１１の一方の面１１ａ上から破線状切り込み枠１３Ｂを剥離したときに、包装用媒体１１の一方の面１１ａ上で複数の長方形枠部１３ｇ｛図４（ａ）｝と対応する部位に複数の長方形孔１１ａ２が開口されるために、個人情報１２が複数の長方形孔１１ａ２によって各文字列中の各文字が間隔を隔てて飛び飛びに抜けた残存文字情報１２ａとなり、この残存文字情報１２ａは個人情報１２の一部を含んで読み取り不能に破壊されているので、包装用媒体１１をゴミ処理しても包装用媒体１１の一方の面１１ａ上に印刷された個人情報１２の一部が残存した残存文字情報１２ａは外部の第三者に対して漏れることがないために、個人情報１２を保護できる。
【００５１】
一方、図４（ｃ）に示した如く、破線状切り込み枠１３Ｂを包装用媒体１１の一方の面１１ａから剥がし取ると、包装用媒体１１の開封と同時に個人情報１２の破片１４Ｂが得られる。この個人情報１２の破片１４Ｂ上では、個人情報１２が複数の長方形枠部１３ｇ｛図４（ａ）｝によって各文字列中の各文字が間隔を隔てて飛び飛びに抜けた剥離文字情報１２ｂとなり、この剥離文字情報１２ｂは上記した個人情報の一部の残りを含んで読み取り不能に破壊されているので、個人情報１２の破片１４Ｂをゴミ処理しても個人情報１２の一部の残りと対応した剥離文字情報１２ｂが外部の第三者に漏れることを確実に防止できる。
【００５２】
この際、図４（ｂ）に示した残存文字情報１２ａと、図４（ｃ）に示した剥離文字情報１２ｂとの文字数比率が、略半々（略５０％：５０％）になるように破線状切り込み枠１３Ｂの複数の長方形枠部１３ｇを個人情報１２の各文字列中の文字数に対応して設定することで、残存文字情報１２ａと剥離文字情報１２ｂとにより個人情報１２の漏洩をより一層確実に防止できるので、第２実施例の個人情報破壊機能付き包装用媒体１０Ｂの有用性が得られる。
【符号の説明】
【００５３】
１０Ａ…実施例１の個人情報破壊機能付き包装用媒体、
１０Ｂ…実施例２の個人情報破壊機能付き包装用媒体、
１１…包装用媒体、１１ａ…一方の面（表面）、１１ａ１…角孔、
１１ａ２…長方形孔、１１ｂ…他方の面（裏面）、
１２…個人情報、１２ａ…残存文字情報、１２ｂ…剥離文字情報、
１３Ａ…実施例１において、ジグザグ状に形成した破線状切り込み枠、
１３Ｂ…実施例２において、櫛形状に形成した破線状切り込み枠、
１３ａ…掴み部、１３ｂ…連結部、１３ｃ…角形枠部、１３ｄ…剥離終了部、
１３ｅ…掴み部、１３ｆ…連結部、１３ｇ…長方形枠部、１３ｈ…剥離終了部、
１４Ａ…実施例１における個人情報１２の破片、
１４Ｂ…実施例２における個人情報１２の破片。
【図１】
2012046208.tif 000003
【図２】
2012046208.tif 000004
【図３】
2012046208.tif 000005
【図４】
2012046208.tif 000006